(57)【要約】【課題】ハンドソープ、洗顔液、シャンプー、リンス、液状石けん、化粧水等の液体を入れた液体収容容器を、洗面化粧台まわりにおいて、すぐ使用できるところに収納し、しかも、洗面化粧台を汚すことなく、またすっきりと整理され見栄えの良い状態で収納されるキャビネットを実現する。【解決手段】キャビネット本体２６に収納凹部４が形成され、収納凹部４の前面に鏡付き扉５を備えており、収納凹部４の下方で、キャビネット本体２６の下部に、前面と下面が開放された組み込み部２２が形成され、組み込み部２２の凸条部１２に液体収容ボックス２４の凹溝１３が摺動可能に嵌合して、液体収容ボックス２４が組み込まれているとともに、液体収容ボックス２４には、液体収容ボックス２４内の液体を排出可能な排出ノズル１５が装着されている。【選択図】図３
2009022438.tif 000002
【特許請求の範囲】
【請求項１】
キャビネット本体に収納凹部が形成され、収納凹部の前面に扉を備えたキャビネットであって、収納凹部の下方で、キャビネット本体の下部に組み込み部が形成され、組み込み部に液体収容容器が組み込まれているとともに、液体収容容器は液体収容容器内の液体を排出可能な排出ノズルを備えていることを特徴とするキャビネット。
【請求項２】
請求項１記載のキャビネットであって、組み込み部の前面と下面、あるいは前面と下端部が開放されていることを特徴とするキャビネット。
【請求項３】
請求項２記載のキャビネットであって、組み込み部の前面とキャビネット本体の前面、組み込み部の下面あるいは下端部の傾斜面と、キャビネット本体の下面あるいは下端部の傾斜面が、各々略同一平面となっていることを特徴とするキャビネット。
【請求項４】
請求項１から３のいずれかに記載のキャビネットであって、キャビネット本体と液体収容容器が取り付け、取り外し可能なように、組み込み部の内面と液体収容容器の外面に嵌合部が形成されていることを特徴とするキャビネット。
【請求項５】
請求項１から４のいずれかに記載のキャビネットであって、液体収容容器は液体収容容器内の液体を排出ノズルに導く排出チューブを備え、排出ノズルが液体収容容器の前面に取り付けられているとともに、排出チューブが自重で下方へ垂れ下がるように構成されていることを特徴とするキャビネット。
【発明の詳細な説明】
【技術分野】
【０００１】
本発明は、キャビネットに関し、特に、洗面化粧台の上に配設され、その下部に、ハンドソープ、洗顔液、シャンプー、リンス、液状石けん、化粧水等の液体を入れた液体収容容器が格納されて成るキャビネットに関する。
【背景技術】
【０００２】
ハンドソープ、洗顔液、シャンプー、リンス、液状石けん、化粧水等の液体を入れた液体収容容器は、洗剤等が着いたり、汚れた手で触れるので、洗面化粧台のキャビネット内に収納したくないものであり、また、比較的頻繁に使用するためにキャビネット内に収納することなく、洗面化粧台の上や近辺に置いておきたいものである。
【０００３】
しかし、洗面化粧台の上などに直に載置して保管すると、容器が転倒したりして容器自体又は床などが汚損するような問題があった。従来、このような問題の解決手段として、浴室や洗面台の壁面に取り付け、洗髪や洗顔用洗剤などを収納する容器を保持するボトルハンガーが提案されている（特許文献１参照）。
【０００４】
洗面化粧台のミラーキャビネットの下部に、収納ボックスを設けた構成は知られている（特許文献２参照）。
【特許文献１】実開平５−５１１８９号公報
【特許文献２】実開昭６４−２１６２７号公報
【発明の開示】
【発明が解決しようとする課題】
【０００５】
上記のとおり、液体収容容器を洗面化粧台の上に置いておくと、容器や床の汚損を生じるだけでなく、洗面化粧台まわりにやたらに物が置かれることで、すっきりせず、見栄えも悪くなるという問題がある。
【０００６】
本発明は、上記従来の問題を解決することを目的とするものであり、ハンドソープ、洗顔液、シャンプー、リンス、液状石けん、化粧水等の液体を入れた液体収容容器を、洗面化粧台まわりにおいて、すぐ使用できるところに収納し、しかも、洗面化粧台を汚すことなく、またすっきりと整理され見栄えの良い状態で収納されるキャビネットを実現することを課題とするものである。
【課題を解決するための手段】
【０００７】
本発明は上記課題を解決するために、キャビネット本体に収納凹部が形成され、収納凹部の前面に扉を備えたキャビネットであって、収納凹部の下方で、キャビネット本体の下部に組み込み部が形成され、組み込み部に液体収容容器が組み込まれているとともに、液体収容容器は液体収容容器内の液体を排出可能な排出ノズルを備えていることを特徴とするキャビネットを提供する。
【０００８】
組み込み部の前面と下面、あるいは前面と下端部が開放されている構成としてもよい。
【０００９】
組み込み部の前面とキャビネット本体の前面、組み込み部の下面あるいは下端部の傾斜面と、キャビネット本体の下面あるいは下端部の傾斜面が、各々略同一平面となっている構成としてもよい。
【００１０】
キャビネット本体と液体収容容器が取り付け、取り外し可能なように、組み込み部の内面と液体収容容器の外面に嵌合部が形成されている構成としてもよい。
【００１１】
液体収容容器は、液体収容容器内の液体を排出ノズルに導く排出チューブを備え、排出ノズルが液体収容容器の前面に取り付けられているとともに、排出チューブが自重で下方へ垂れ下がるように構成としてもよい。
【発明の効果】
【００１２】
本発明に係るキャビネットによれば、洗面化粧台まわりに、ハンドソープ、洗顔液、シャンプー、リンス、液状石けん、化粧水等の液体を入れた液体収容容器を、すぐ使用できるように、しかも、洗面化粧台を汚すことなく、またすっきりと整理され見栄えの良い状態で収納することができる。
【発明を実施するための最良の形態】
【００１３】
本発明に係るキャビネットを実施するための最良の形態を実施例に基づき図面を参照して、以下説明する。
【実施例１】
【００１４】
図１及び図２は、本発明に係るキャビネットの実施例１としてのミラーキャビネット１を説明する図である。図１（ａ）は、キャビネット本体２の斜視図であり、図２（ｂ）は、ミラーキャビネットを洗面台３上に配設された状態を示す斜視図である。キャビネット本体２は、内部に図示されない収納凹部４が形成されており、収納凹部４の前面に鏡付き扉５を備えている。
【００１５】
図１（ａ）に示すように、収納凹部４の下方で、キャビネット本体２の下部に、液体収容容器としての液体収容ボックス６を組み込む（図２（ａ）参照）ための組み込み部７が形成されている。組み込み部７は、その前面８と下面９が開放され、組み込み部７の前面８とキャビネット本体２の前面１０、組み込み部７の下面９とキャビネット本体２の下面１１が、各々略同一平面となっている。したがって、液体収容ボックス６が前面８から組み込み可能で使い勝手がよく、下面９に液体収容ボックス６の液体が溜まることはなく衛生的である。また、各々略同一平面となっているので、液体収容ボックス６が目立つことはなく見栄えが良好である。
【００１６】
組み込み部７に、図１に示す液体収容ボックス６が嵌合して組み込まれるように、組み込み部７の内面と液体収容ボックス６の外面に嵌合部が形成されている。この嵌合部は具体的に次の構成である。即ち、図１（ａ）、図２（ａ）に示すように、組み込み部７の左右の内側面に凸条部１２が形成されており、図１（ｂ）、図２（ａ）に示すように、液体収容ボックス６の左右の外側面に凹溝１３が形成されている。
【００１７】
そして、図２（ａ）に示すように、液体収容ボックス６を、その凹溝１３内に組み込み部７の凸条部１２が相対的に摺動可能に嵌合するようにして、組み込み部７内に差し込むことで、組み込みが行われる。
【００１８】
液体収容ボックス６は、ハンドソープ、洗顔液、シャンプー、リンス、液状石けん、化粧水等の液体が収容されるものである。本実施例１では、液体収容ボックス６にハンドソープの液が収容されているものとして説明する。図１（ｂ）、（ｄ）に示すように、液体収容ボックス６の前面にキャップ受け開口１４が形成されており、このキャップ受け開口１４に、図１（ｃ）に示す排出ノズル１５が、着脱可能に装着される。
【００１９】
液体収容ボックス６は、充填されているハンドソープの液がなくなったら、キャップ受け開口１４からハンドソープの液を補給して使用すればよいが、ハンドソープの液がなくなったら、ハンドソープが充填されている新しい液体収容ボックス６（使い捨てタイプ又はマガジンタイプの液体収容ボックス）を使用してもよい。
【００２０】
排出ノズル１５は、図１（ｃ）に示すように、キャップ受け開口１４に螺着して装着するキャップ１６と、排出管１８’を有する排出用プッシュボタン１８とを備えており、液体収容ボックス６内の液体を排出ノズル１５に導く排出チューブ１７に接続されている。
【００２１】
キャップ１６は、ポンプが内蔵されている周知のポンプ内蔵キャップであり、図２（ｂ）に示すように、排出用プッシュボタン１８を押すことにより、ハンドソープの液１９を排出チューブ１７から排出ノズル１５を通して排出し、ハンドソープ１９’として取り出すことが可能な構成である。
【００２２】
排出チューブ１７は、樹脂等の軟質材で形成されており、図１（ｃ）、（ｄ）に示すように、自重で下方へ垂れ下がり、液体収容ボックス６内のハンドソープの液１９内に延びるように構成されている。これにより、液体収容ボックス６のハンドソープが少なくなっても、排出が可能である。
【００２３】
（作用）
以上の構成から成るミラーキャビネット１の作用を以下説明する。図２（ａ）に示すように、ハンドソープが充填された液体収容ボックス６の凹溝１３内に、キャビネット本体２の組み込み部７の凸条部１２が摺動可能に嵌合するように、液体収容ボックス６をキャビネット本体２の組み込み部７に組み込む。
【００２４】
そして、図２（ｂ）に示すように、排出用プッシュボタン１８を押すことにより、ハンドソープ１９’を排出することができる。そして、液体収容ボックス６内のハンドソープの液１９が無くなった場合は、排出ノズル１５を液体収容ボックス６から取り外してハンドソープの液をキャップ受け開口１４から液体収容ボックス６内に補給する。
【００２５】
或いは、液体収容ボックス６を組み込み部７から取り外して、ハンドソープの液の充填された新たな液体収容ボックスを、図２（ａ）に示すようにして組み込むようにしてもよい。
【実施例２】
【００２６】
図３及び図４は、本発明に係るキャビネットの実施例２を説明する図である。この実施例２のミラーキャビネット２０は、実施例１のミラーキャビネット１とほぼ同じ構成であるが、実施例２のミラーキャビネット２０は、実施例１と異なり、その下端部２１が傾斜面２８と水平面２８’で構成されており、この傾斜面２８に沿って、組み込み部２２の下端部２１の傾斜面２３及び、液体収容容器としての液体収容ボックス２４の下端部２４’の傾斜面２５も傾斜された構成を特徴としている。
【００２７】
以下、実施例２のミラーキャビネット２０の特徴的な構成を中心に説明する。実施例２において、実施例１と同じ構成の部分については、同じ符号を付して、特にその説明を省略する。図３（ａ）は、キャビネット本体２６の斜視図であり、図４（ｂ）は、ミラーキャビネット２０が洗面台３上に配設された状態を示す斜視図である。この実施例２では、キャビネット本体２６は、その下部前面２７から後方に向けて、下端部２１が下方に傾斜面２８として形成されている。
【００２８】
キャビネット本体２６において、図３（ｂ）に示す液体収容ボックス２４を組み込むための組み込み部２２の構成は、実施例１とほぼ同じであるが、図３（ａ）及び図４（ａ）に示すように、キャビネット本体２６の下端部２１の傾斜面２８に沿って、組み込み部２２の傾斜面２３も傾斜して形成されている。したがって、組み込み部２２の前面と下端部が解放され、実施例１と同様、液体収容ボックス２４が前面から組み込み可能で使い勝手がよく、下端部に液体収容ボックス２４の液体が溜まることはなく衛生的である。
【００２９】
液体収容ボックス２４は、実施例１とほぼ同じであるが、キャビネット本体２６及びその組み込み部２２の下端部２１の傾斜面２３に沿って、図３（ｂ）、（ｄ）に示すように、傾斜面２５が後方に向けて下方に傾斜して形成されている。また、組み込み部２２の前面とキャビネット本体２６の前面２７、組み込み部２２の下端部２１の傾斜面２３とキャビネット本体２６の傾斜面２８とが、各々略同一平面となっているので、実施例１と同様、液体収容ボックス２４が目立つことはなく見栄えが良好である。
【００３０】
排出ノズル１５は、実施例１と同じポンプ内蔵のキャップ１６を備えた構成である。排出チューブ１７は、樹脂材で形成されている。図３（ｄ）に示すように、排出チューブ１７は、自重で下方に垂れ下がり、その先端が、液体収容ボックス２４の傾斜面２５が形成された底部３０内まで延びており、底部３０内に溜まったハンドソープの液１９を略完全に排出することができる。
【００３１】
（作用）
以上の構成から成る実施例２のミラーキャビネット２０の作用は、実施例１と同様であり、使用に際しては、図４（ａ）に示すように、液体収容ボックス２４を、その凹溝１３に組み込み部２２の凸条部１２が嵌合するようにして、組み込み部２２に組み込む。
【００３２】
組み込まれた液体収容ボックス２４の傾斜面２５は、ミラーキャビネット２０の下端部２１の傾斜面２８と面一となる。そして、図４（ｂ）に示すように、排出用プッシュボタン１８を押すことにより、ハンドソープ１９を排出チューブ１７から排出し、ハンドソープ１９’として取り出すことができる。
【００３３】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３４】
本発明に係るキャビネットは、上記のような構成であり、洗面化粧台だけでなく、キッチン、浴室等に設けられたキャビネットのような各種のキャビネットに適用できる。
【図面の簡単な説明】
【００３５】
【図１】本発明に係るキャビネットの実施例１を説明する図であり、（ａ）はキャビネット本体の斜視図であり、（ｂ）は液体収容ボックスの斜視図であり、（ｃ）は排出ノズルの斜視図であり、（ｄ）は排出ノズルを装着した液体収容ボックスを示す図である。
【図２】本発明に係るキャビネットの実施例１を説明する図であり、（ａ）はキャビネット本体に液体収容ボックスを組み込む状態を説明する斜視図であり、（ｂ）はミラーキャビネットを洗面台上に配設した状態を示す斜視図である。
【図３】本発明に係るキャビネットの実施例２を説明する図であり、（ａ）はキャビネット本体の斜視図であり、（ｂ）は液体収容ボックスの斜視図であり、（ｃ）は排出ノズルの斜視図であり、（ｄ）は排出ノズルを装着した液体収容ボックスを示す図である。
【図４】本発明に係るキャビネットの実施例２を説明する図であり、（ａ）はキャビネット本体２６に液体収容ボックスを組み込む状態を説明する斜視図であり、（ｂ）はミラーキャビネットを洗面台上に配設した状態を示す斜視図である。
【符号の説明】
【００３６】
１、２０  ミラーキャビネット                    
２、２６  キャビネット本体                                 
３  洗面台                                           
４  キャビネット本体の収納凹部                       
５  鏡付き扉                                         
６、２４  液体収容ボックス                                 
７、２２  組み込み部                                       
８  組み込み部の前面                                 
９  組み込み部の下面                                 
１０、２７  キャビネット本体の前面                         
１１  キャビネット本体の下面                         
１２  キャビネット本体の凸条部                       
１３  液体収容ボックスの凹溝                         
１４  キャップ受け開口                               
１５  排出ノズル                                     
１６  排出ノズルのキャップ                           
１７  排出チューブ                                   
１８  排出用プッシュボタン                           
１９  ハンドソープの液                               
１９’   ハンドソープの液                                                   
２１  キャビネット本体の下端部                  
２３  組み込み部の傾斜面                                 
２５  液体収容ボックスの傾斜面                  
２４’   液体収容ボックスの下端部                         
２７  キャビネット本体の前面                         
２８  キャビネット本体の傾斜面
２８’   水平面                           
３０  液体収容ボックスの底部                         
【図１】
2009022438.tif 000003
【図２】
2009022438.tif 000004
【図３】
2009022438.tif 000005
【図４】
2009022438.tif 000006